(57)【要約】      （修正有）【課題】簡単な構造であるとともに引き鉄を引く動作を繰り返すだけで輪ゴムを連発することができる輪ゴム銃を提供する。【解決手段】複数の輪ゴム２０を配置可能なマガジン部１００と、マガジン部が装着され、マガジン部に配置された輪ゴムを連続して発射する銃本体部２００とを備えた輪ゴム銃である。引き鉄の操作により移動部材２４１を付勢力に抗して引き、移動部材に設けられた刃部によりマガジン部に張設された最下位に位置する輪ゴムの後端部を切断し、切断された輪ゴムを発射する。最下位の輪ゴムが発射されると、マガジン保持案内部材２３１、２３２に配置したマガジン部が自重で降下し、マガジン位置保持部材２３３、２３４がマガジン部を、発射された輪ゴムの直上に配置された輪ゴムにより保持する。【選択図】図１
0003221409.tif 000002
【実用新案登録請求の範囲】
【請求項１】
複数の輪ゴムを引張状態で配置可能なマガジン部と、このマガジン部が装着され、前記マガジン部に配置された前記輪ゴムを連続して発射する銃本体部とを備えた輪ゴム銃であって、
前記マガジン部は、マガジン本体の対向する二つの辺部にそれぞれ複数の突起部が形成されており、複数の前記輪ゴムがそれぞれ前記二つの辺部に形成された前記突起部に両端を掛け渡されて上下方向に沿って平行に配置され、
前記銃本体部は、銃身部と、前記銃身部の後端部に設けられたグリップ部と、前記銃身部に設けたマガジン装着部と、前記輪ゴムの後端を切断して前記輪ゴムの発射動作を行うトリガー部とを備え
前記マガジン装着部は、前記マガジン部が装着された状態で、このマガジン部を上下方向に案内するマガジン保持案内部材、及び装着された前記マガジン部をこのマガジン部に配置された最下位に位置する前記輪ゴムを支持することで位置保持するマガジン位置保持部材を備え、
前記トリガー部は、前記銃身部の内部において前記銃身部の長手方向に沿って移動可能に配置され、前記輪ゴムの後端部を切断する刃部を備えた移動部材、前記移動部材を前記銃身部に沿って付勢する付勢部材、軸を中心に回動可能な引き鉄、及び前記引き鉄の回転端部に一端が接続され、他端が前記移動部材に接続された紐状連結部材を備え、
前記引き鉄の操作により前記移動部材を付勢力に抗して引き、前記刃部により前記マガジン部に張設された最下位に位置する前記輪ゴムの後端部を切断し、切断された前記輪ゴムを発射し、
前記マガジン部の最下位に位置する前記輪ゴムが発射されると、前記マガジン保持案内部材に配置した前記マガジン部が自重で降下し、前記マガジン位置保持部材が前記マガジン部を、発射された前記輪ゴムの直上に配置された前記輪ゴムにより保持する、
ことを特徴とする輪ゴム銃。
【請求項２】
前記移動部材は、前記マガジン部に張設された前記輪ゴムの内側に配置されることを特徴とする請求項１に記載の輪ゴム銃。
【請求項３】
前記紐状連結部材を案内して方向を変更するプーリー部材を備えることを特徴とする請求項１に記載の輪ゴム銃。
【請求項４】
前記トリガー部は、前記引き鉄を前記発射動作と反対の方向に付勢する引き鉄付勢部材を備えることを特徴とする請求項１に記載の輪ゴム銃。
【請求項５】
前記マガジン部は、前記マガジン保持案内部材に挿入される挿入板部を備えることを特徴とする請求項１に記載の輪ゴム銃。
【請求項６】
前記マガジン部の傾きを防止するマガジン傾斜防止部材を備えることを特徴とする請求項１に記載の輪ゴム銃。
【請求項７】
前記銃身部は、２枚の板状部材を所定の間隔を隔てて平行に配置して構成され、前記トリガー部の前記移動部材及び付勢部材は、前記２枚の板状部材の間に配置されることを特徴とする請求項１に記載の輪ゴム銃。
【請求項８】
前記銃身部の先端に水平方向に揺動可能に配置したレーザーポインタを備えることを特徴とする請求項１に記載の輪ゴム銃。
【考案の詳細な説明】
【技術分野】
【０００１】
本考案は、連発式の輪ゴム銃に関する。
【背景技術】
【０００２】
従来、連発式の輪ゴム銃として、特許文献１及び文献２に記載のものがある。特許文献１には、輪ゴム銃において、銃本体と前記銃本体に着脱自在な弾倉とからなり、前記弾倉に輪ゴムを架けるものであり、弾倉は、鋸刃状の端辺を相対する両端に設けた外体と、鋸刃状の端辺を相対する両端に設けた内体とからなり、前記外体の端辺の鋸刃状の山と前記内体の端辺の鋸刃状の山は重ならない位置にあり、なおかつ前記外体と前記内体はどちらか一方もしくは両方を移動可能としたものが記載されている。
【０００３】
又、特許文献２には、複数の輪ゴムをそれぞれ緊張せずに輪ゴム装填弾に係止して弾倉部にそれぞれセットし、発射直前に緊張器により輪ゴムを緊張して連続的に発射する輪ゴム銃であって、該輪ゴム銃は主に、緊張器前後移動装置を内蔵し、その後部に弾倉を挿着する弾倉挿入部をそれぞれ設けた銃身部と、複数の輪ゴム装填弾を挿着可能に設けた弾倉と、上部に銃後部覆いと下部に発射・排莢機構部を有する銃床と、銃身左側面板とからなり、銃弾用の輪ゴムを発射する際は、緊張器前後移動装置の把持部を前後移動させて、緊張器後端に軸支して設けた輪ゴム引っ掛け用フックで輪ゴム装填弾に係止した銃弾用の輪ゴム先端部を引っ掛けて緊張し、かつ、発射・排莢機構部の引金を引いて輪ゴム装填弾の回動駒を前傾させて連続的に発射させるものが記載されている。
【先行技術文献】
【特許文献】
【０００４】
【特許文献１】特開２００６−２０７９８６号公報
【特許文献２】実登３１７０５１５号公報
【考案の概要】
【考案が解決しようとする課題】
【０００５】
しかし、特許文献１記載のものは、弾倉に装着した輪ゴムを移送する動作、発射のため引き鉄を引く動作、次の発射のため弾倉移動する動作を行うものであり、連発操作に多くの動作が必要である他、輪ゴムの移送、弾倉移動のための機構が必要となり構造が複雑なものとなる。
【０００６】
又、特許文献２に記載のものは、弾倉に装着した輪ゴムをする動作、フックで輪ゴムの先端を引っ掛ける動作、輪ゴムを緊張する動作、引き鉄を引く動作を行うものであり、連発操作に多くの動作が必要である他、輪ゴムの先端の引っ掛け、輪ゴムの緊張、のため機構が必要となり構造が複雑なものとなる。
【０００７】
本考案は上述した課題に鑑みなされたものであり、簡単な構造であるとともに引き鉄を引く動作を繰り返すだけで輪ゴムを連発することができる輪ゴム銃を提供することを目的とする。
【課題を解決するための手段】
【０００８】
前記課題を解決する請求項１に記載の考案は、複数の輪ゴムを引張状態で配置可能なマガジン部と、このマガジン部が装着され、前記マガジン部に配置された前記輪ゴムを連続して発射する銃本体部とを備えた輪ゴム銃であって、前記マガジン部は、マガジン本体の対向する二つの辺部にそれぞれ複数の突起部が形成されており、複数の前記輪ゴムがそれぞれ前記二つの辺部に形成された前記突起部に両端を掛け渡されて上下方向沿って平行に配置され、前記銃本体部は、銃身部と、前記銃身部の後端部に設けられたグリップ部と、前記銃身部に設けたマガジン装着部と、前記輪ゴムの後端を切断して前記輪ゴムの発射動作を行うトリガー部とを備え前記マガジン装着部は、前記マガジン部が装着された状態で、このマガジン部を上下方向に案内するマガジン保持案内部材、及び装着された前記マガジン部をこのマガジン部に配置された最下位に位置する前記輪ゴムを支持することで位置保持するマガジン位置保持部材を備え、前記トリガー部は、前記銃身部の内部において前記銃身部の長手方向に沿って移動可能に配置され、前記輪ゴムの後端部を切断する刃部を備えた移動部材、前記移動部材を前記銃身部に沿って付勢する付勢部材、軸を中心に回動可能な引き鉄、及び前記引き鉄の回転端部に一端が接続され、他端が前記移動部材に接続された紐状連結部材を備え、前記引き鉄の操作により前記移動部材を付勢力に抗して引き、前記刃部により前記マガジン部に張設された最下位に位置する前記輪ゴムの後端部を切断し、切断された前記輪ゴムを発射し、前記マガジン部の最下位に位置する前記輪ゴムが発射されると、前記マガジン保持案内部材に配置した前記マガジン部が自重で降下し、前記マガジン位置保持部材が前記マガジン部を、発射された前記輪ゴムの直上に配置された前記輪ゴムにより保持する、ことを特徴とする。
【０００９】
同じく請求項２に記載の考案は、請求項１に記載の輪ゴム銃において、前記移動部材は、前記マガジン部に張設された前記輪ゴムの内側に配置されることを特徴とする。
【００１０】
同じく請求項３に記載の考案は、請求項１に記載の輪ゴム銃において、前記紐状連結部材を案内して方向を変更するプーリー部材を備えることを特徴とする。
【００１１】
同じく請求項４に記載の考案は、請求項１に記載の輪ゴム銃において、前記トリガー部は、前記引き鉄を前記発射動作と反対の方向に付勢する引き鉄付勢部材を備えることを特徴とする。
【００１２】
同じく請求項５に記載の考案は、請求項１に記載の輪ゴム銃において、前記マガジン部は、前記マガジン保持案内部材に挿入される挿入板部を備えることを特徴とする。
【００１３】
同じく請求項６に記載の考案は、請求項１に記載の輪ゴム銃において、前記マガジン部の傾きを防止するマガジン傾斜防止部材を備えることを特徴とする。
【００１４】
同じく請求項７に記載の考案は、請求項１に記載の輪ゴム銃において、前記銃身部は、２枚の板状部材を所定の間隔を隔てて平行に配置して構成され、前記トリガー部の前記移動部材及び付勢部材は、前記２枚の板状部材の間に配置されることを特徴とする。
【００１５】
同じく請求項８に記載の発明は、請求項１に記載の輪ゴム銃において、前記銃身部の先端に水平方向に揺動可能に配置したレーザーポインタを備えることを特徴とする。
【考案の効果】
【００１６】
本考案に係る輪ゴム銃によれば、簡単な構造であるとともに引き鉄を引く動作を繰り返すだけで輪ゴムを連発することができ、使用者及び購買者の興味を強く引く。
【００１７】
すなわち、請求項１に係る輪ゴム銃によれば、マガジン部の対向した辺部に形成された複数の突起部に複数の輪ゴムを引張状態で掛け渡して設置し、このマガジン部を輪ゴム銃の装着部に装着する。このとき、マガジン部はマガジン保持案内部材で上下方向に移動可能な状態で保持され、かつ、マガジン部に配置された最下位に位置する輪ゴムがマガジン位置保持部材で支持されて保持される。この状態で、付勢部材の付勢力に抗して引き鉄を引くと、移動部材に配置された刃部が最下位に配置された輪ゴムの後端部を切断し、最下位に配置された輪ゴムが引張状態から開放され発射される。これにより、マガジン保持案内部材に配置したマガジン部が自重で降下し、マガジン位置保持部材がマガジン部を発射された前記輪ゴムの直上に配置された輪ゴムにより保持する。これにより、次の輪ゴムを発射できる状態となる。引き鉄を引くたびにこの動作がなされ、マガジン部に設置した輪ゴムがなくなるまで連射することができる。
【００１８】
よって、本考案に係る輪ゴム銃は、引き鉄を引く動作を繰り返すだけで輪ゴムを連発することができ、しかもマガジン部を移動させたり、輪ゴムを特定の部材に掛けて引き延ばしたりするための機構が不要であり、簡単な構造とすることができる。又、輪ゴムを掛けた複数のマガジン部を準備しておけば、これらのマガジン部を連続して輪ゴム銃に装着して極めて多数の輪ゴムを連射することができる。
【００１９】
又、請求項２に記載の輪ゴム銃によれば、移動部材は、マガジン部に張設された前記輪ゴムの内側に配置されるので、移動部材を輪ゴム配置位置より後方に配置した場合より、輪ゴム銃の全長を短いものとできる。
【００２０】
又、請求項３に記載の輪ゴム銃によれば、プーリー部材で紐状連結部材を案内して方向を変更できるので、引き鉄と輪ゴムを切断する移動部材との位置関係を柔軟に選択することができ、設計の自由度が増す。
【００２１】
又、請求項４に記載の輪ゴム銃によれば、引き鉄は引き鉄付勢部材で発射動作と反対の方向に付勢されているので、引き鉄に一定の力を加えなければ輪ゴムが発射されない。このため、誤操作や接触による輪ゴムの発射を防止できる。
【００２２】
又、請求項５に記載の輪ゴム銃によれば、マガジン部は、マガジン保持案内部材に挿入される挿入板部を備えるので、安定してマガジン装着部に装着できる。
【００２３】
又、請求項６に記載の輪ゴム銃によれば、マガジン部の傾きを防止するマガジン傾斜防止部材を備えるので、マガジン部は次輪ゴムの発射位置まで傾斜して引っ掛けることなく移動する。このため、輪ゴムの連射を円滑に行うことができる。
【００２４】
更に、請求項７に記載の輪ゴム銃によれば、銃身部は、２枚の板状部材を所定の間隔を隔てて平行に配置して構成され、トリガー部の前記移動部材及び付勢部材は、２枚の板材の間に配置されているので、構造が簡単で輪ゴム銃の製造に際して容易に組立ができる。
【００２５】
そして、請求項８に記載の輪ゴム銃によれば、銃身部の先端に水平方向に揺動可能に配置したレーザーポインタを備えるので、輪ゴムの連射にともなうマガジン部の変形に起因する輪ゴムの軌跡の変化に対応してレーザースポットを照射できる。すなわち、当初において多数の輪ゴムを掛けた状態と、連射を行って輪ゴム数が減少した状態ではマガジン部に加わる力が減少する。マガジン部はこの力の変化により湾曲状態が変化し、その結果輪ゴムの発射方向が水平方向に変動する。本考案ではこの変動に応じてレーザーポインタを揺動することができる。
【図面の簡単な説明】
【００２６】
【図１】本考案の実施形態に係る輪ゴム銃を示すものであり、（ａ）は右側面図、（ｂ）は左側面図である。
【図２】同輪ゴム銃を示す平面図である。
【図３】同輪ゴム銃のマガジン部を示すものであり、（ａ）は右側面図、（ｂ）は平面図、（ｃ）は左側面図である。
【図４】同輪ゴム銃のマガジン部を示すものであり、（ａ）は正面図、（ｂ）は背面図である。
【図５】同輪ゴム銃におけるトリガー部の構成と動作を示すも側面図であり、（ａ）は引き鉄を引く前の状態を示す図、（ｂ）は引き鉄を引いた状態を示す図である。
【図６】同輪ゴム銃におけるトリガー部の構成と動作を示すも平面図であり、（ａ）は引き鉄を引く前の状態を示す図、（ｂ）は引き鉄を引いた状態を示す図である。
【図７】同輪ゴム銃の連射状態を示すものであり、（ａ）はマガジン部を装着した当初の状態、（ｂ）は輪ゴムを１本発射した状態、（ｃ）は輪ゴムを４本発射した状態、（ｄ）は輪ゴムを１０本発射した状態、（ｅ）はすべての輪ゴムを発射してマガジン部が銃本体部から外れた状態を示す図である。
【考案を実施するための形態】
【００２７】
本考案を実施するための形態に係る輪ゴム銃について説明する。図１は本考案の実施形態に係る輪ゴム銃を示すものであり、（ａ）は右側面図、（ｂ）は左側面図、図２は同輪ゴム銃を示す平面図である。又、図３は同輪ゴム銃のマガジン部を示すものであり、（ａ）は右側面図、（ｂ）は平面図、（ｃ）は左側面図、図４は同輪ゴム銃のマガジン部を示すものであり、（ａ）は正面図、（ｂ）は背面図である。
【００２８】
本考案の実施形態に係る輪ゴム銃１０は、図１及び図２に示すように、複数の輪ゴム２０を配置可能なマガジン部１００と、このマガジン部１００が装着されマガジン部１００に配置された輪ゴム２０を連続して発射する銃本体部２００とを備えている。
【００２９】
まず、マガジン部１００について説明する。マガジン部１００は、図３及び図４に示すように、マガジン部１００は略長方形状の板状をなす。マガジン部１００において、対向する二つの辺部１０１、１０２には、それぞれ複数、例えば１１本の突起部１０３、１０４が形成されている。そして、複数、例えば１１本の輪ゴム２０がそれぞれ二辺部に形成された突起部１０３、１０４に両端を掛け渡され、引張状態で配置される。輪ゴム２０は２本と１組にして架けることができる。そして、マガジン部１００に配置された輪ゴム２０は、マガジン部１００の上下方向沿って１１組が平行に配置される。なお、突起部１０３、１０４の数、すなわち輪ゴム２０の装着数は自由に設定できる。
【００３０】
マガジン部１００は、マガジン装着部２３０の後述するマガジン保持案内部材２３１、２３２に挿入可能は四角形の挿入板部１１０を備える。マガジン部１００において、挿入板部１１０は、挿入板部１１０より小さい幅寸法の第１板部１１１、マガジン部１００の全幅寸法をなす第２板部１１２、後端部に突出部１１４を形成した第３板部１１３を接合して構成される。
【００３１】
又、マガジン部１００において、第２板部１１２の輪ゴム２０張設側面には、断面３角形状の凸部１１６が上下方向に沿って配置される。突起部１０３と突起部１０４の間に張設された輪ゴム２０は、この凸部１１６に接触することで第３板部１１３との間隔を保持する。
【００３２】
更に、マガジン部１００において、第３板部１１３の同じ側には、黒色のテープ部材１１７が上下方向に配置されている。これにより、マガジン部１００に張設された輪ゴム２０の確認を容易にする。
【００３３】
突起部１０３は、第２板部１１２の前側端部に、突起部１０４は第３板部１１３の突出部１１４の後側端部に形成される。突出部１１４は、図３（ｂ）、図４（ａ）、（ｂ）に示すように、第３板部１１３から立ち上がる立上板部１１４ａと、この立上板部１１４ａから第３板部１１３に平行に延設される延設部１１４ｂとからなる。
【００３４】
図４（ａ）、（ｂ）に示すように、立上板部１１４ａには、長方形孔部１１５が開設されている。この長方形孔部１１５には突起部１０３と突起部１０４との間に張設した輪ゴム２０が現れる。後述する刃部２４２は、突出部１１４の内側からこの長方形孔部１１５に挿入され、輪ゴム２０の後端を切断する。
【００３５】
マガジン部１００には多数、例えば１１組、２２本の輪ゴム２０が張設される。このため、マガジン部１００には大きな力が加わる。又、マガジン部１００は、軽量であることが要請される。このため、マガジン部１００は、高剛性化、及び軽量化が図られ、合成樹脂や繊維強化合成樹脂で形成されることが望ましい。
【００３６】
次に銃本体部２００について説明する。銃本体部２００は、銃身部２１０と、銃身部２１０の後端部に設けられた輪ゴム銃１０を把持するためのグリップ部２２０と、銃身部２１０に設けられマガジン部１００が装着されるマガジン装着部２３０と、銃本体部２００に配置された輪ゴム２０の後端を切断して輪ゴム２０の発射動作を行うトリガー部２４０とを備える。
【００３７】
銃身部２１０は、２枚の板状部材２１１、２１２を所定の間隔を隔てて平行に配置して構成される。トリガー部２４０の構成部材は２枚の板状部材２１１、２１２の間に配置される。銃本体部２００の銃身部２１０を構成する板状部材２１１、２１２、グリップ部２２０は軽量化のため、合成樹脂材で形成されることが望ましい。なお、銃本体部２００の外面は、任意の色を施し、様々な模様、文字を配置することができる。
【００３８】
マガジン装着部２３０は、マガジン部１００が装着されて上下方向に案内するマガジン保持案内部材２３１、２３２を備える。このマガジン保持案内部材２３１、２３２は、断面コ字状のアルミニウム製のチャンネル材で構成することができる。マガジン保持案内部材２３１、２３２の開口を内側に向けて配置し、マガジン保持案内部材２３１、２３２にマガジン部１００の挿入板部１１０を挿入してマガジン部１００を銃本体部２００のマガジン装着部２３０に配置する。
【００３９】
又、マガジン装着部２３０は、装着されたマガジン部１００を保持するマガジン位置保持部材２３３、２３４を備える。このマガジン位置保持部材２３３、２３４は、マガジン部１００の最下位に配置された輪ゴム２０を２個所で支持することで、マガジン部１００の上下方向の位置を定める。このため、マガジン部１００には軽量化が要請される。
【００４０】
図３に示すように、マガジン位置保持部材２３３は、板状部材２１２から水平方向内側に延設され、マガジン傾斜防止部材２６０に連結され、マガジン傾斜防止部材２６０を保持する。マガジン位置保持部材２３４は板状部材２１２から水平方向内側に延設される。マガジン位置保持部材２３３、２３４はアルミニウム製のアングル材で構成することができる。マガジン傾斜防止部材２６０は上下方向に延びる合成樹脂板で構成される。
【００４１】
図５は同輪ゴム銃におけるトリガー部の構成と動作を示すも側面図であり、（ａ）は引き鉄を引く前の状態を示す図、（ｂ）は引き鉄を引いた状態を示す図、図６は同輪ゴム銃におけるトリガー部の構成と動作を示す平面図であり、（ａ）は引き鉄を引く前の状態を示す図、（ｂ）は引き鉄を引いた状態を示す図である。
【００４２】
図５及び図６に示すように、トリガー部２４０は、銃身部２１０の内部において銃身部２１０の長手方向に沿って移動可能に配置された移動部材２４１を備える。移動部材２４１は、マガジン部１００に装着された最下位置の輪ゴム２０の後端部を切断する刃部２４２が配置されている。この移動部材２４１には付勢部材であるコイルスプリング２４５が取付けられている。コイルスプリング２４５は、銃身部２１０に沿って刃部２４２を前方に向け付勢する。
【００４３】
本実施形態では、移動部材２４１、コイルスプリング２４５は、板状部材２１２の内側に延設されたレール部材２５２に配置する。このレール部材２５２は、アルミニウム製のチャンネル部材で構成することができる。コイルスプリング２４５の先端側はレール部材２５２の突出片２５３に取付けられている。
【００４４】
トリガー部２４０は、引き鉄２４３が設けられ、軸Ｏ１を中心に回動可能な引き鉄プレート２５０、及び引き鉄プレート２５０の回転端部２４３ａに一端が接続され、他端が移動部材２４１に接続された紐状連結部材２４４を備える。紐状連結部材２４４は、軸Ｏ２を中心に回転可能なプーリー部材２４６で延設方向が変更され、移動部材２４１に接続される。本実施形態では、紐状連結部材２４４としてテグス糸を使用することができる。
【００４５】
トリガー部２４０には、図５に示すように、引き鉄２４３を発射動作と反対の方向に付勢する引き鉄付勢部材である第２コイルスプリング２４７が配置されている。これにより、引き鉄２４３に一定以上の力を加えなければ輪ゴム２０が発射されず、誤操作や接触による輪ゴム２０の発射を防止できる。又、引き鉄２４３は、グリップ部２２０内に形成された接触部２５４に接触して回転が制限される。
【００４６】
プーリー部材２４６で紐状連結部材２４４を案内して方向を変更できるので、引き鉄２４３と、移動部材２４１との位置関係を柔軟に選択することができ、設計の自由度が増す。なお、紐状連結部材２４４は、プーリー部材２４６の一部に掛けるだけでなく、プーリー部材２４６の回りに掛け回すことができる。又、紐状連結部材２４４の端部は、引き鉄２４３の回転端部２４３ａに接合し、更に延長してグリップ部２２０に固定することができる。
【００４７】
この実施形態に係る輪ゴム銃１０では、引き鉄２４３の操作により移動部材２４１をコイルスプリング２４５の付勢力に抗して引き、刃部２４２を移動してマガジン部１００に張設された最下位に位置する輪ゴム２０の後端部を切断する。これにより、切断された輪ゴム２０は銃身部２１０から発射される。
【００４８】
上述したように、移動部材２４１は、マガジン部１００がマガジン装着部２３０に配置された状態で、マガジン部１００の最下位置に引張状態で配置された輪ゴム２０の内側に配置される。そして、移動部材２４１は、引き鉄２４３を引くことで、輪ゴム２０と第３板部１１３との間を移動して、マガジン部１００の後端側に至り、図５（ｂ）に示すように、刃部２４２が長方形孔部１１５から外側に突出して輪ゴム２０を切断する。
【００４９】
このようにマガジン部１００の最下位に位置する輪ゴム銃１０から輪ゴム２０が発射されると、マガジン保持案内部材２３１、２３２の間に配置したマガジン部１００が自重で降下し、マガジン位置保持部材２３３、２３４が、マガジン部１００を、発射された輪ゴム２０の直上に配置された他の輪ゴム２０により保持する。
【００５０】
次に輪ゴム銃１０の連射について説明する。図７は同輪ゴム銃の連射状態を示すものであり、（ａ）はマガジン部を装着した当初の状態、（ｂ）は輪ゴムを１本発射した状態、（ｃ）は輪ゴムを４本発射した状態、（ｄ）は輪ゴムを１０本発射した状態、（ｅ）はすべての輪ゴムを発射してマガジン部が銃本体部から外れた状態を示す図である。
【００５１】
図７（ａ）に示すように、マガジン部１００を銃本体部２００のマガジン装着部２３０に装着する。すると、銃本体部２００は、マガジン位置保持部材２３３、２３４に最下位に配置された輪ゴム２０-１で支持され、輪ゴム２０-１が発射可能となる。
【００５２】
この状態で輪ゴム２０−１を発射すると、図８（ｂ）に示すように、マガジン部１００がマガジン保持案内部材２３１、２３２に案内されて自重により落下し、マガジン部１００は、マガジン位置保持部材２３３、２３４により、輪ゴム２０−１の上段に設けられた輪ゴム２０-２で支持され、輪ゴム２０-２が発射可能となる。この状態で、マガジン部１００の上端位置は、当初のマガジン部１００の上端位置Ｌより落下している。
【００５３】
この状態で輪ゴム２０−２を発射し、同様に輪ゴム２０-３、２０-４を発射すると、図８（ｃ）に示すように、マガジン部１００がマガジン保持案内部材２３１、２３２に案内されて自重により落下し、マガジン部１００は、マガジン位置保持部材２３３、２３４により輪ゴム２０−４の上段に配置された輪ゴム２０-５で支持され、輪ゴム２０-２が発射可能となる。この状態で、マガジン部１００の上端位置は、当初のマガジン部１００の上端位置Ｌより更に落下している。
【００５４】
更に、発射を続け、マガジン部１００に配置された１０発目の輪ゴム２０―１０（図８（ｃ）に示した）を発射すると、図８（ｄ）に示すように、マガジン部１００がマガジン保持案内部材２３１、２３２に案内されて自重により落下し、マガジン部１００は、マガジン位置保持部材２３３、２３４により輪ゴム２０−１０の上段に配置された輪ゴム２０-１１で支持され、輪ゴム２０ー１１が発射可能となる。この状態で、マガジン部１００の上端位置は、当初のマガジン部１００の上端位置Ｌより更に落下している。
【００５５】
そして、最後の輪ゴム２０−１１を発射すると、マガジン部１００はマガジン位置保持部材２３３、２３４で支持されず、マガジン保持案内部材２３１、２３２に案内されて自重により落下して銃本体部２００から外すことができる。この状態で、更に新たなマガジン部１００をマガジン装着部２３０に挿入できる。尚、まだマガジン部１００が落下せずに輪ゴム２０を発射できる状態、例えば、図７（ｃ）、（ｄ）に示した状態で、マガジン部１００をマガジン装着部２３０に設置することができる。これにより、より多くの輪ゴム２０を連射できる。
【００５６】
本実施形態に係る輪ゴム銃１０では、引き鉄２４３を引く動作を繰り返すだけで輪ゴムを連射することができ、しかもマガジン部１００を移動させたり、輪ゴム２０を特定の部材に掛けて引き延ばしたりするための機構が不要であり、簡単な構造とすることができる。
【００５７】
尚、輪ゴム銃１０の銃身部２１０の先端には、レーザーポインタ２７０が配置することができる。このレーザーポインタ２７０は照準を容易にするために設けられる。レーザーポインタ２７０は、鉛直軸を中心として水平方向に揺動可能に配置される。
【００５８】
これにより、輪ゴム２０の連射にともなうマガジン部１００の変形に起因する輪ゴム２０の軌跡の変化に対応してレーザースポットを照射できる。すなわち、当初において多数の輪ゴムを掛けたマガジン部１００と、連射を行って輪ゴム数が減少したマガジン部１００とはマガジン部１００に加わる力が変化（減少）する。このため、マガジン部がこの力の変化により湾曲状態が変化し、その結果輪ゴムの発射方向が水平方向に変動する。レーザーポインタ２７０をマガジン部１００の変形に託して揺動してこれに対応することができる。
【産業上の利用可能性】
【００５９】
本考案に係る輪ゴム銃は、簡単な構造であるとともに引き鉄を引く動作を繰り返すだけで輪ゴムを連発することができ使用者、購買者の興味を引くことから、産業上利用可能である。
【符号の説明】
【００６０】
１０：輪ゴム銃
２０：輪ゴム
１００：マガジン部
１０１、１０２：辺部
１０３、１０４：突起部
１１０：挿入板部
１１１：第１板部
１１２：第２板部
１１３：第３板部
１１４：突出部
１１４ａ：立上板部
１１４ｂ：延設部
１１５：長方形孔部
１１６：凸部
１１７：テープ部材
２００：銃本体部
２１０：銃身部
２１１、２１２：板状部材
２２０：グリップ部
２３０：マガジン装着部
２３１、２３２：マガジン保持案内部材
２３３、２３４：マガジン位置保持部材
２４０：トリガー部
２４１：移動部材
２４２：刃部
２４３：引き鉄
２４３ａ：回転端部
２４４：紐状連結部材
２４５：コイルスプリング
２４６：プーリー部材
２４７：第２コイルスプリング
２５０：引き鉄プレート
２５２：レール部材
２５３：突出片
２５４：接触部
２６０：マガジン傾斜防止部材
２７０：レーザーポインタ
Ｏ１：軸
Ｏ２：軸
【図１】
0003221409.tif 000003
【図２】
0003221409.tif 000004
【図３】
0003221409.tif 000005
【図４】
0003221409.tif 000006
【図５】
0003221409.tif 000007
【図６】
0003221409.tif 000008
【図７】
0003221409.tif 000009